(57)【要約】【課題】通信に利用する周波数の選択方法を改善すること。【解決手段】１つの態様において、携帯機器は、通信部と、制御部とを備える。前記通信部は、複数の周波数帯で他の機器と通信する。前記複数の周波数帯は、第１の周波数帯および第２の周波数帯を含む。前記第１の周波数帯は、前記第２の周波数帯よりも周波数が低い。前記制御部は、センサが検出した値に基づいて自機が水に浸かっていると推定している第１の場合に、前記第２の周波数帯よりも前記第１の周波数帯を優先して利用する。前記制御部は、前記センサが検出した値に基づいて自機が水に浸かっていると推定していない第２の場合に、前記第１の周波数帯よりも前記第２の周波数帯を優先して利用する。【選択図】図１
2017022535.tif 000002
【特許請求の範囲】
【請求項１】
通信部と、制御部とを備え、
前記通信部は、複数の周波数帯で他の機器と通信し、
前記複数の周波数帯は、第１の周波数帯および第２の周波数帯を含み、
前記第１の周波数帯は、前記第２の周波数帯よりも周波数が低く、
前記制御部は、
センサが検出した値に基づいて自機が水に浸かっていると推定している第１の場合に、前記第２の周波数帯よりも前記第１の周波数帯を優先して利用し、
前記センサが検出した値に基づいて自機が水に浸かっていると推定していない第２の場合に、前記第１の周波数帯よりも前記第２の周波数帯を優先して利用する、携帯機器。
【請求項２】
前記制御部は、前記第１の周波数帯および前記第２の周波数帯のうち優先して利用する優先周波数帯で通信可能な基地局を優先的にサーチさせる請求項１に記載の携帯機器。
【請求項３】
前記制御部は、前記優先周波数帯で通信可能な基地局がサーチされると、他方の周波数帯で通信可能な基地局をサーチしない請求項２に記載の携帯機器。
【請求項４】
前記制御部は、前記第１の周波数帯および前記第２の周波数帯のいずれか一方で前記他の機器と通信する請求項１から３のいずれか１つに記載の携帯機器。
【請求項５】
前記制御部は、前記第１の周波数帯および前記第２の周波数帯のうち優先して利用している優先周波数帯を継続的な通信に利用し、他方の周波数帯を補助的な通信に利用する請求項１又は２に記載の携帯機器。
【請求項６】
前記通信部は、第３の周波数帯で他の機器と通信し、
前記第３の周波数帯は、前記第１の周波数帯および前記第２の周波数帯よりも周波数が高く、
前記制御部は、前記第３の周波数帯を前記第１の周波数帯および前記第２の周波数帯の少なくとも一方の周波数帯と束ねて通信する請求項１から５のいずれか１つに記載の携帯機器。
【請求項７】
前記制御部は、
前記第１の場合の間に、前記第１の周波数帯で通信可能な基地局がサーチされていると、当該第１の場合から前記第２の場合に移ってから所定時間まで、前記第１の周波数帯を前記第２の周波数帯よりも優先して利用する請求項１から６のいずれか１つに記載の携帯機器。
【請求項８】
前記制御部は、前記第２の場合から前記第１の場合に移るとすぐに、前記第２の周波数帯よりも前記第１の周波数帯を優先して利用する請求項７に記載の携帯機器。
【請求項９】
複数の周波数帯で通信可能な通信部と、
センサが検出した値に基づいて自機が水に浸かっていると推定する制御部とを備え、
前記制御部は、自機が水に浸かっていると推定すると、前記複数の周波数帯域を利用する規則を変更する携帯機器。
【請求項１０】
前記制御部は、自機が水に浸かっていると推定すると、前記複数の周波数帯域のうち周波数が低い周波数帯域を優先して利用するように前記規則を変更する請求項９に記載の携帯機器。
【請求項１１】
前記制御部は、
自機が水に浸かっていると推定している間に通信可能な基地局がサーチされていると、自機が水に浸かっていないと推定してから所定時間まで前記基地局と通信可能な周波数帯を優先して利用するように前記規則を変更する請求項９又は１０に記載の携帯機器。
【請求項１２】
前記制御部は、
自機が水に浸かっていないと推定している状態から自機が水に浸かっていると推定する状態に推移するとすぐに、低い周波数帯域を優先するように前記規則を変更する請求項９に記載の携帯機器。
【請求項１３】
前記センサとして、タッチスクリーンおよび気圧センサの少なくとも一方を備える請求項１から１２のいずれか１つに記載の携帯機器。
【請求項１４】
通信部および制御部を備える携帯機器により実行される制御方法であって、
第１の周波数帯、及び当該第１の周波数帯よりも周波数が高い第２の周波数帯を含む複数の周波数帯で他の機器と通信するステップと、
センサが検出した値に基づいて自機が水に浸かっていると推定している第１の場合に、前記第２の周波数帯よりも前記第１の周波数帯を優先して利用して前記他の機器と通信するステップと、
前記センサが検出した値に基づいて自機が水に浸かっていると推定していない第２の場合に、前記第１の周波数帯よりも前記第２の周波数帯を優先して利用して前記他の機器と通信するステップと
を含む制御方法。
【請求項１５】
通信部および制御部を備える携帯機器に、
第１の周波数帯、及び当該第１の周波数帯よりも周波数が高い第２の周波数帯を含む複数の周波数帯で他の機器と通信するステップと、
センサが検出した値に基づいて自機が水に浸かっていると推定している第１の場合に、前記第２の周波数帯よりも前記第１の周波数帯を優先して利用して前記他の機器と通信するステップと、
前記センサが検出した値に基づいて自機が水に浸かっていると推定していない第２の場合に、前記第１の周波数帯よりも前記第２の周波数帯を優先して利用して前記他の機器と通信するステップと
を実行させる制御プログラム。
【発明の詳細な説明】
【技術分野】
【０００１】
本出願は、携帯機器、制御方法及び制御プログラムに関する。
【背景技術】
【０００２】
従来、無線通信にて外部機器と通信可能な端末がある。無線通信には複数の周波数帯が利用されている。水中において無線通信が可能な装置もある。
【先行技術文献】
【特許文献】
【０００３】
【特許文献１】特開２００５−２０４２２号公報
【発明の概要】
【発明が解決しようとする課題】
【０００４】
通信に利用する周波数帯の選択方法には改善の余地がある。
【課題を解決するための手段】
【０００５】
１つの態様に係る携帯機器は、通信部と、制御部とを備える。前記通信部は、複数の周波数帯で他の機器と通信する。前記複数の周波数帯は、第１の周波数帯および第２の周波数帯を含む。前記第１の周波数帯は、前記第２の周波数帯よりも周波数が低い。前記制御部は、センサが検出した値に基づいて自機が水に浸かっていると推定している第１の場合に、前記第２の周波数帯よりも前記第１の周波数帯を優先して利用する。前記制御部は、前記センサが検出した値に基づいて自機が水に浸かっていると推定していない第２の場合に、前記第１の周波数帯よりも前記第２の周波数帯を優先して利用する。
【０００６】
１つの態様に係る制御方法は、通信部および制御部を備える携帯機器により実行される複数のステップを含む。前記制御方法は、第１の周波数帯、及び当該第１の周波数帯よりも周波数が高い第２の周波数帯を含む複数の周波数帯で他の機器と通信するステップを含む。前記制御方法は、センサが検出した値に基づいて自機が水に浸かっていると推定している第１の場合に、前記第２の周波数帯よりも前記第１の周波数帯を優先して利用して前記他の機器と通信するステップを含む。前記制御方法は、前記センサが検出した値に基づいて自機が水に浸かっていると推定していない第２の場合に、前記第１の周波数帯よりも前記第２の周波数帯を優先して利用して前記他の機器と通信するステップを含む。
【０００７】
１つの態様に係る制御プログラムは、通信部および制御部を備える携帯機器に複数のステップを実行させる。前記制御プログラムは、第１の周波数帯、及び当該第１の周波数帯よりも周波数が高い第２の周波数帯を含む複数の周波数帯で他の機器と通信するステップを前記携帯機器に実行させる。前記制御プログラムは、センサが検出した値に基づいて自機が水に浸かっていると推定している第１の場合に、前記第２の周波数帯よりも前記第１の周波数帯を優先して利用して前記他の機器と通信するステップを実行させる。前記制御プログラムは、前記センサが検出した値に基づいて自機が水に浸かっていると推定していない第２の場合に、前記第１の周波数帯よりも前記第２の周波数帯を優先して利用して前記他の機器と通信するステップを実行させる。
【図面の簡単な説明】
【０００８】
【図１】図１は、１つの実施形態に係るスマートフォンの機能構成を示すブロック図である。
【図２】図２は、１つの実施形態に係るスマートフォンにより実行される処理の一例を示すフローチャートである。
【図３】図３は、１つの実施形態に係るスマートフォンにより実行される処理の一例を示すフローチャートである。
【発明を実施するための形態】
【０００９】
本出願に係る携帯機器、制御方法及び制御プログラムを実施するための複数の実施形態を、図面を参照しつつ詳細に説明する。以下では、本出願に係る携帯機器の一例として、スマートフォンを取り上げて説明する。
【００１０】
図１を参照しつつ、複数の実施形態の一例に係るスマートフォン１の機能構成の一例を説明する。図１は、スマートフォン１の機能構成を示すブロック図である。以下の説明において、同様の構成要素について同一の符号を付すことがある。さらに、重複する説明は省略することがある。
【００１１】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６と、気圧センサ１７とを備える。以下の説明において、スマートフォン１を「自機」と表記する場合がある。
【００１２】
タッチスクリーンディスプレイ２は、ディスプレイ２Ａと、タッチスクリーン２Ｂとを有する。ディスプレイ２Ａ及びタッチスクリーン２Ｂは、例えば、重なって位置してもよいし、並んで位置してもよいし、離れて位置してもよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等のオブジェクトを画面内に表示する。ディスプレイ２Ａが表示する文字、画像、記号、及び図形等のオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。
【００１４】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。タッチスクリーン２Ｂが検出する複数の指、ペン、及びスタイラスペン等は、「指」と表記する場合がある。タッチスクリーン２Ｂが検出した指が接触又は近接した位置を「検出位置」と表記する場合がある。タッチスクリーン２Ｂは、タッチスクリーン２Ｂに対する指の接触を、検出位置とともにコントローラ１０に通知する。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。ある実施形態において、タッチスクリーン２Ｂは、自機が水に浸かっているかを推定するための情報を測定する。タッチスクリーン２Ｂは、検出方式として静電容量方式を採用する場合、自機が水に浸かっているかを推定するための情報として静電容量の変化を測定する。タッチスクリーン２Ｂは、当該タッチスクリーン２Ｂに格子状に張り巡らされた複数のセンサ電極のそれぞれに対して所定の信号を印加し、各センサ電極からの出力値を読み取ることを繰り返す。これにより、タッチスクリーン２Ｂは、当該タッチスクリーン２Ｂ上の検出点における静電容量の変化を測定できる。他の検出方式として抵抗膜方式又は荷重検出方式を採用する場合、タッチスクリーン２Ｂは、自機が水に浸かっているかを推定するための情報として、例えば、電圧の大きさの変化を検出してもよい。他の検出方式として表面弾性波方式を採用する場合、タッチスクリーン２Ｂは、自機が水に浸かっているかを推定するための情報として、例えば、自機が発信する表面弾性波の減衰を検出してもよい。他の検出方式として赤外線方式を採用する場合、タッチスクリーン２Ｂは、自機が水に浸かっているかを推定するための情報として、例えば、自機が発信する赤外線光の減衰を検出してもよい。
【００１５】
コントローラ１０は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。コントローラ１０が行える動作を、コントローラ１０を有するスマートフォン１は実行できる。言い換えると、コントローラ１０が行う動作は、スマートフォン１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１６】
ボタン３は、利用者からの操作入力を受け付ける。ボタン３の数は、単数であっても、複数であってもよい。
【００１７】
照度センサ４は、照度を検出する。照度は、照度センサ４の測定面の単位面積に入射する光束の値である。照度センサ４は、例えば、ディスプレイ２Ａの輝度の調整に用いられる。
【００１８】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００１９】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）が含まれる。通信ユニット６は、上述した通信規格の１つ又は複数をサポートしていてもよい。
【００２０】
通信ユニット６は、複数の周波数帯で他の機器と通信する。複数の周波数帯は、第１の周波数帯、第２の周波数帯、及び第３の周波数帯を含む。第１の周波数帯は、第２の周波数帯よりも周波数が低い。第３の周波数帯は、第１の周波数帯および第２の周波数帯と異なる周波数帯である。例えば、第１の周波数帯は、およそ７００〜９００メガヘルツの周波数帯である。例えば、第２の周波数帯は、およそ１．１〜１．５ギガヘルツの周波数帯である。第１の周波数帯及び第２の周波数帯を利用する通信規格は、ＬＴＥを含む。第３の周波数帯は、２．５ギガヘルツ、及び５ギガヘルツの周波数帯、亜ミリ波帯、及びミリ波帯を含む。第３の周波数帯を利用する通信規格は、ＩＥＥＥ８０２．１１を含む。通信ユニット６は、通信部の一例である。
【００２１】
レシーバ７は、音出力部の一例である。レシーバ７は、コントローラ１０から送信される音信号を音として出力する。レシーバ７は、例えば、スマートフォン１にて再生される動画の音、音楽の音、及び通話時の相手の声を出力することができる。マイク８は、音入力部の一例である。マイク８は、利用者の声等を音信号へ変換してコントローラ１０へ送信する。
【００２２】
ストレージ９は、プログラム及びデータを記憶できる。ストレージ９は、コントローラ１０の処理結果を一時的に記憶する作業領域として利用してもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２３】
ストレージ９に記憶されるプログラムには、フォアグランド又はバックグランドで実行されるアプリケーションと、アプリケーションの動作を支援する基本プログラムとが含まれる。アプリケーションの画面は、例えば、フォアグランドで実行される場合に、ディスプレイ２Ａに表示される。基本プログラムには、例えば、ＯＳが含まれる。アプリケーション及び基本プログラムは、通信ユニット６による無線通信又は非一過的な記憶媒体を介してストレージ９にインストールされてもよい。
【００２４】
ストレージ９は、制御プログラム９Ａ、メールアプリケーション９Ｂ、電話アプリケーション９Ｃ、及び設定データ９Ｚなどを記憶できる。
【００２５】
制御プログラム９Ａは、センサが検出した値に基づいて、自機が水に浸かっているかを推定する機能を提供できる。センサが検出した値は、タッチスクリーン２Ｂにより測定された静電容量の変化、及び気圧センサ１７により測定された気圧の値の少なくとも一方を含む。制御プログラム９Ａは、例えば、静電容量方式のタッチスクリーン２Ｂ全面の静電容量が略均一な値を示す場合に、自機が水に浸かっていると推定させてもよい。
【００２６】
制御プログラム９Ａは、センサが検出した値に基づいて自機が水に浸かっていると推定している第１の場合に、第２の周波数帯よりも第１の周波数帯を優先して利用する機能を提供できる。制御プログラム９Ａは、センサが検出した値に基づいて自機が水に浸かっていると推定していない第２の場合に、第１の周波数帯よりも第２の周波数帯を優先して利用する機能を提供できる。
【００２７】
制御プログラム９Ａは、第１の周波数帯および第２の周波数帯のうち優先して利用する優先周波数帯で通信可能な基地局を優先的にサーチさせる機能を提供できる。制御プログラム９Ａは、優先周波数帯で通信可能な基地局がサーチされると、他方の周波数帯で通信可能な基地局をサーチしない機能を提供できる。
【００２８】
制御プログラム９Ａは、第１の周波数帯および第２の周波数帯のいずれか一方で他の機器と通信する機能を提供できる。
【００２９】
制御プログラム９Ａは、第１の周波数帯および第２の周波数帯のうち優先して利用している優先周波数帯を継続的な通信に利用し、他方の周波数帯を補助的な通信に利用する機能を提供できる。
【００３０】
制御プログラム９Ａは、第３の周波数帯を第１の周波数帯および第２の周波数帯の少なくとも一方の周波数帯と束ねて通信する機能を提供できる。
【００３１】
制御プログラム９Ａは、上述の第１の場合の間に、第１の周波数帯で通信可能な基地局がサーチされていると、上述の第１の場合から上述の第２の場合に移ってから所定時間まで、第１の周波数帯を第２の周波数帯よりも優先して利用する機能を提供できる。
【００３２】
制御プログラム９Ａは、上述の第２の場合から上述の第１の場合に移るとすぐに、第２の周波数帯よりも第１の周波数帯を優先して利用する機能を提供できる。
【００３３】
制御プログラム９Ａは、センサが検出した値に基づいて自機が水に浸かっていると推定すると、複数の周波数帯域を利用する規則を変更する機能を提供することもできる。この機能に関連して、制御プログラム９Ａは、自機が水に浸かっていると推定すると、複数の周波数帯域のうち周波数が低い周波数帯域を優先して利用するように上述の規則を変更する機能を提供できる。さらに、制御プログラム９Ａは、自機が水に浸かっていると推定している間に通信可能な基地局がサーチされていると、自機が水に浸かっていないと推定してから所定時間まで基地局と通信可能な周波数帯を優先して利用するように上述の規則を変更する機能を提供できる。
【００３４】
メールアプリケーション９Ｂは、電子メールの作成、送信、受信、及び表示等のための電子メール機能を提供できる。電話アプリケーション９Ｃは、無線通信による通話のための通話機能を提供できる。
【００３５】
設定データ９Ｚは、制御プログラム９Ａなどにより提供される機能に基づいて実行される処理に用いられる各種データを含んで構成される。設定データ９Ｚは、自機が水に浸かっているかを推定するための静電容量の変化に関するデータを含む。設定データ９Ｚは、自機が水に浸かっているかを推定するための気圧の変化に関するデータを含む。設定データ９Ｚは、上述の第１の場合から上述の第２の場合に移ってから、第１の周波数帯を第２の周波数帯よりも優先して利用する所定時間のデータを含む。設定データ９Ｚは、自機が水に浸かっていないと推定してから、基地局と通信可能な周波数帯を優先して利用する所定時間のデータを含む。設定データ９Ｚは、周波数帯を利用する際の規則（アルゴリズム）のデータを含む。
【００３６】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んでもよいが、これらに限定されない。コントローラ１０は、スマートフォン１の動作を統括的に制御して各種の機能を実現する。コントローラ１０は、制御部の一例である。
【００３７】
具体的には、コントローラ１０は、ストレージ９に記憶されているデータを必要に応じて参照しつつ、ストレージ９に記憶されているプログラムに含まれる命令を実行する。コントローラ１０は、データ及び命令に応じて機能部を制御し、それによって各種機能を実現する。機能部は、例えば、ディスプレイ２Ａ、通信ユニット６、マイク８、及びスピーカ１１の少なくとも１つを含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６及び気圧センサ１７の少なくとも１つを含むが、これらに限定されない。
【００３８】
コントローラ１０は、制御プログラム９Ａを実行することにより、自機が水に浸かっているかを推定する処理等を実現する。例えば、コントローラ１０は、制御プログラム９Ａを実行することにより、センサが検出した値に基づいて自機が水に浸かっていると推定している第１の場合に、第２の周波数帯よりも第１の周波数帯を優先して利用する処理を実現する。例えば、コントローラ１０は、制御プログラム９Ａを実行することにより、センサが検出した値に基づいて自機が水に浸かっていると推定していない第２の場合に、第１の周波数帯よりも第２の周波数帯を優先して利用する処理を実現する。センサが検出した値は、タッチスクリーン２Ｂにより測定された静電容量の変化、及び気圧センサ１７により測定された気圧の値の少なくとも一方を含む。
【００３９】
コントローラ１０は、制御プログラム９Ａを実行することにより、センサが検出した値に基づいて自機が水に浸かっていると推定すると、複数の周波数帯域を利用する規則を変更する処理を実現することもできる。センサが検出した値は、タッチスクリーン２Ｂにより測定された静電容量の変化、及び気圧センサ１７により測定された気圧の値の少なくとも一方を含む。
【００４０】
スピーカ１１は、音出力部を含む。スピーカ１１は、コントローラ１０から送信される音信号を音として出力する。スピーカ１１は、例えば、着信音及び音楽を出力してもよい。レシーバ７及びスピーカ１１の一方が、他方の機能を兼ねてもよい。
【００４１】
カメラ１２及びカメラ１３は、撮影した画像を電気信号へ変換できる。カメラ１２は、ディスプレイ２Ａに面している物体を撮影するインカメラでもよい。カメラ１３は、ディスプレイ２Ａの反対側の面に面している物体を撮影するアウトカメラでもよい。カメラ１２及びカメラ１３は、インカメラ及びアウトカメラを切り換えて利用可能なカメラユニットとして、機能的及び物理的に統合された状態でスマートフォン１に実装されてもよい。
【００４２】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４３】
加速度センサ１５は、スマートフォン１に作用する加速度の方向及び大きさを測定できる。方位センサ１６は、例えば、地磁気の向きを検出し、地磁気の向きに基づいて、スマートフォン１の向き（方位）を測定できる。気圧センサ１７は、スマートフォン１に作用する気圧を測定できる。
【００４４】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信できる。ＧＰＳ受信機は、受信した電波信号の復調処理を行って、処理後の信号をコントローラ１０に送出する。ＧＰＳ受信機は、スマートフォン１の現在位置の演算処理をサポートする。バイブレータは、スマートフォン１の一部又は全体を振動させる。バイブレータは、振動を発生させるために、例えば、圧電素子、又は偏心モータなどを有する。バッテリなど、スマートフォン１の機能を維持するために当然に用いられる機能部、及びスマートフォン１の制御を実現するために当然に用いられる制御部は、スマートフォン１に実装される。
【００４５】
図２及び図３を参照しつつ、実施形態に係るスマートフォン１により実行される処理の一例を説明する。図２及び図３は、１つの実施形態に係るスマートフォンにより実行される処理の一例を示すフローチャートである。図２及び図３に示す処理は、コントローラ１０が、ストレージ９に記憶されている制御プログラム９Ａを実行することにより実現される。図２及び図３に示す処理は、スマートフォン１の起動中に繰り返し実行される。
【００４６】
図２に示す処理について説明する。コントローラ１０は、タッチスクリーン２Ｂにより測定された静電容量の変化、及び気圧センサ１７により測定された気圧の値の少なくとも一方に基づいて、自機が水に浸かっているかを推定する（ステップＳ１０１）。
【００４７】
コントローラ１０は、判定の結果、自機が水に浸かっていると推定していない場合（ステップＳ１０１，Ｎｏ）、ステップＳ１０１の判定を繰り返す。
【００４８】
一方、コントローラ１０は、判定の結果、自機が水に浸かっていると推定している場合（ステップＳ１０１，Ｙｅｓ）、第１の周波数帯を優先して利用する規則に変更する（ステップＳ１０２）。
【００４９】
コントローラ１０は、再び、自機が水に浸かっているかを推定する（ステップＳ１０３）。
【００５０】
コントローラ１０は、判定の結果、自機が水に浸かっていると推定している場合（ステップＳ１０３，Ｙｅｓ）、ステップＳ１０３の判定を繰り返す。
【００５１】
一方、コントローラ１０は、判定の結果、自機が水に浸かっていると推定していない場合（ステップＳ１０３，Ｎｏ）、第２の周波数帯を優先して利用する規則に変更し（ステップＳ１０４）、ステップＳ１０１の処理手順に戻る。
【００５２】
上記ステップＳ１０２において、スマートフォン１は、第１の周波数帯を優先して利用する場合、第１の周波数帯で通信可能な基地局を優先的にサーチしてもよい。第１の周波数帯で基地局がサーチされると、スマートフォン１は、第２の周波数帯で通信可能な基地局をサーチしないようにしてもよい。同様に、上記ステップＳ１０４において、スマートフォン１は、第２の周波数帯を優先して利用する場合、第１の周波数帯を補助的な通信に利用してもよい。
【００５３】
上記ステップＳ１０２において、スマートフォン１は、第１の周波数帯を優先して利用する場合、第２の周波数帯を補助的な通信に利用してもよい。
【００５４】
上記ステップＳ１０２において、スマートフォン１は、第１の周波数帯を優先して利用する場合、第３の周波数帯を第１の周波数帯と束ねて通信してもよい。
【００５５】
上記ステップＳ１０４において、スマートフォン１は、第２の周波数帯を優先して利用する場合、第２の周波数帯で通信可能な基地局を優先的にサーチしてもよい。第２の周波数帯で基地局がサーチされると、スマートフォン１は、第１の周波数帯で通信可能な基地局をサーチしないようにしてもよい。
【００５６】
上記ステップＳ１０４において、スマートフォン１は、第２の周波数帯を優先して利用する場合、第１の周波数帯を補助的な通信に利用してもよい。
【００５７】
上記ステップＳ１０４において、スマートフォン１は、第２の周波数帯を優先して利用する場合、第３の周波数帯を第２の周波数帯と束ねて通信してもよい。
【００５８】
上記ステップＳ１０２において、スマートフォン１は、第１の周波数帯を優先して利用する場合、第２の周波数帯を補助的な通信に利用してもよい。同様に、上記ステップＳ１０４において、スマートフォン１は、第２の周波数帯を優先して利用する場合、第１の周波数帯を補助的な通信に利用してもよい。
【００５９】
図３に示す処理について説明する。図３に示すように、コントローラ１０は、タッチスクリーン２Ｂにより測定された静電容量の変化、及び気圧センサ１７により測定された気圧の値の少なくとも一方に基づいて、自機が水に浸かっているかを推定する（ステップＳ２０１）。
【００６０】
コントローラ１０は、判定の結果、自機が水に浸かっていると推定していない場合（ステップＳ２０１，Ｎｏ）、ステップＳ２０１の判定を繰り返す。
【００６１】
一方、コントローラ１０は、判定の結果、自機が水に浸かっていると推定している場合（ステップＳ２０１，Ｙｅｓ）、第１の周波数帯を優先して利用する規則に変更する（ステップＳ２０２）。
【００６２】
コントローラ１０は、再び、自機が水に浸かっているかを推定する（ステップＳ２０３）。
【００６３】
コントローラ１０は、判定の結果、自機が水に浸かっていると推定している場合（ステップＳ２０３，Ｙｅｓ）、ステップＳ２０３の判定を繰り返す。
【００６４】
一方、コントローラ１０は、判定の結果、自機が水に浸かっていると推定していない場合（ステップＳ２０３，Ｎｏ）、第１の周波数帯で通信可能であるかを判定する（ステップＳ２０４）。
【００６５】
コントローラ１０は、判定の結果、第１の周波数帯で通信可能である場合（ステップＳ２０４，Ｙｅｓ）、第１の周波数帯を優先して利用する規則を継続する（ステップＳ２０５）。
【００６６】
コントローラ１０は、所定時間が経過したかを判定する（ステップＳ２０６）。
【００６７】
コントローラ１０は、判定の結果、所定時間を経過していない場合（ステップＳ２０６，Ｎｏ）、上記ステップＳ２０４の判定に戻る。
【００６８】
一方、コントローラ１０は、判定の結果、所定時間を経過した場合（ステップＳ２０６，Ｙｅｓ）、第２の周波数帯を優先して利用する規則に変更し（ステップＳ２０７）、ステップＳ２０１の処理手順に戻る。
【００６９】
上記ステップＳ２０４において、コントローラ１０は、判定の結果、第１の周波数帯で通信可能でない場合（ステップＳ２０４，Ｎｏ）、上記ステップＳ２０７の処理手順に移る。
【００７０】
１つの実施形態として説明した上述の例において、スマートフォン１は、自機が水に浸かっていると推定している第１の場合に、第２の周波数帯よりも周波数の低い第１の周波数帯を優先して利用することができる。１つの実施形態として説明した上述の例において、スマートフォン１は、自機が水に浸かっていると推定していない第２の場合に、第１の周波数帯よりも周波数の高い第２の周波数帯を優先して利用できる。すなわち、スマートフォン１は、自機の水中への移動を契機として、水中での減衰が抑えられる低い周波数帯を積極的に利用して通信を実行できる。このように、スマートフォン１は、通信に利用する周波数帯の選択方法を改善できる。
【００７１】
１つの実施形態として説明した上述の処理は、スマートフォン１以外にも、水中で操作することが想定される他の電子機器について同様に適用できる。
【００７２】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００７３】
１  スマートフォン
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  メールアプリケーション
９Ｃ  電話アプリケーション
９Ｚ  設定データ
１０  コントローラ
１１  スピーカ
１２  カメラ
１３  カメラ
１４  コネクタ
１５  加速度センサ
１６  方位センサ
１７  気圧センサ
【図１】
2017022535.tif 000003
【図２】
2017022535.tif 000004
【図３】
2017022535.tif 000005